(57)【要約】【課題】サイホン作用の終了時又は終了前に、ボウル部の洗浄を終わらせることができ、少ない洗浄水量でサイホン作用を発生させて洗浄する場合の便器洗浄性能を向上させることができる水洗大便器を提供する。【解決手段】本発明の水洗大便器１は、貯水タンク４と、汚物受け面１２と、リム部１４とを備えたボウル部６と、排水路１０と、リム第一吐水部１８と、リム第二吐水部２０と、ゼット吐水部２２と、貯水タンク４の排水口４ｂから流入した洗浄水を分流する分流室８と、分流室８からリム第一吐水部１８へ洗浄水を導くリム第一導水路２４と、分流室８からゼット吐水部２２へ洗浄水を導くゼット導水路２６と、分流室８からリム第二吐水部２０へ洗浄水を導くリム第二導水路２８と、を備え、リム第一吐水部１８から洗浄水の吐水が開始された後に、ゼット吐水部２２、リム第二吐水部２０からの順で、洗浄水の吐水が開始されることを特徴とする。【選択図】図４
2015025258.tif 000002
【特許請求の範囲】
【請求項１】
洗浄水により便器を洗浄する水洗大便器において、
便器へ供給する洗浄水を貯水し且つ洗浄水を排出する排水口が形成された貯水タンクと、  
ボウル形状の汚物受け面と、上縁部にあり内周面を形成するリム部とを備えたボウル部と、
このボウル部の下方にその入口が接続され汚物をサイホン作用により排出する排水路と、
上記ボウル部の側方に対応する上記リム部の位置から洗浄水を前方に向けて吐水し、洗浄水が上記リム部の内周面に沿って旋回して上記ボウル部を洗浄するリム第一吐水部と、
上記ボウル部の後方に対応する上記リム部の位置から洗浄水を吐水し、洗浄水が上記リム第一吐水部から吐水される洗浄水の旋回方向と同一方向に上記リム部の内周面に沿って旋回して上記ボウル部を洗浄するリム第二吐水部と、
上記排水路の入口に向かって洗浄水を吐水するゼット吐水部と、
上記貯水タンクの排水口から流入した洗浄水を分流する分流室と、
上記分流室から上記リム第一吐水部へ洗浄水を導くリム第一導水路と、
上記分流室から上記ゼット吐水部へ洗浄水を導くゼット導水路と、
上記分流室から上記リム第二吐水部へ洗浄水を導くリム第二導水路と、を備え、
上記リム第一吐水部から洗浄水の吐水が開始された後に、上記ゼット吐水部、上記リム第二吐水部からの順で、洗浄水の吐水が開始されることを特徴とする水洗大便器。
【請求項２】
上記分流室には、洗浄水がリム第一導水路に流入するリム第一導水路流入口と、洗浄水がゼット導水路に流入するゼット導水路流入口と、洗浄水がリム第二導水路に流入するリム第二導水路流入口と、が形成され、且つ、上記分流室の上流側から、上記リム第一導水路流入口、上記ゼット導水路流入口、上記リム第二導水路流入口の順序で配置されている請求項１の水洗大便器。
【請求項３】
上記分流室の上記リム第一導水路流入口は、上記貯水タンクの上記排水口近傍に配置されている請求項２記載の水洗大便器。
【請求項４】
上記分流室の上記ゼット導水路流入口及び上記リム第二導水路流入口は、上記排水口から上記リム第一導水路流入口までの距離よりも上記排水口からの距離が離れた位置に配置され、且つ上記リム第二導水路流入口は、上記ゼット導水路流入口近傍に配置されている請求項３記載の水洗大便器。
【発明の詳細な説明】
【技術分野】
【０００１】
本発明は、水洗大便器に係り、特に、洗浄水により便器を洗浄する水洗大便器に関する。
【背景技術】
【０００２】
従来から、例えば、特許文献１に記載されているように、ボウル部の上緑部の内周面にリムを形成し、リム吐水口から前方へと洗浄水を吐水しボウル部を旋回流で洗浄する水洗大便器が知られている。このような水洗大便器は、ボウル部を旋回する洗浄水がボウル部全体に満遍なく行き渡るように、同一旋回方向に洗浄水を吐水するリム吐水口を２つ備え、且つ排水トラップ内にサイホン作用を発生させるゼット吐水を行うゼット吐水口を備え、サイホン作用を発生させることにより汚物を排出するように形成されている。
【先行技術文献】
【特許文献】
【０００３】
【特許文献１】特許第４２８４７０３号
【発明の概要】
【発明が解決しようとする課題】
【０００４】
しかしながら、特許文献１に記載されているような水洗大便器は、貯水タンクの底部の開口の下方から前方に延びる導水路が、水洗大便器のほぼ左右中央の共通の領域で、２つのリム導水路と、ゼット導水路とにほぼ同時に３つの流路に分岐されるように形成されている。
このような水洗大便器においては、貯水タンクから供給された洗浄水が、最初に、ゼット導水路に流下してゼット吐水口からの吐水が行われてサイホン作用を比較的早いタイミングで発生させ、その後に、リム導水路に流入した洗浄水の２つのリム吐水口からの吐水が開始され、ボウル部の旋回流による洗浄が開始される。
近年の節水化の要請により、この水洗大便器において便器の洗浄水量を減少させて節水化する場合、ゼット吐水口から吐水される洗浄水量が減少するためにサイホン作用の発生が継続する時間が節水化前の継続時間と比べて短くなり、サイホン作用の終了時又は終了前に、ボウル部の洗浄を終わらせることができない場合がある。その結果として、汚物がサイホン作用により排出されず、ボウル部内に汚物が残存するといった問題がある。
【０００５】
そこで、本発明は、サイホン作用の終了時又は終了前に、ボウル部の洗浄を終わらせることができ、少ない洗浄水量でサイホン作用を発生させて洗浄する場合の便器洗浄性能を向上させることができる水洗大便器を提供することを目的としている。
【課題を解決するための手段】
【０００６】
上記の目的を達成するために、本発明は、洗浄水により便器を洗浄する水洗大便器において、便器へ供給する洗浄水を貯水し且つ洗浄水を排出する排水口が形成された貯水タンクと、ボウル形状の汚物受け面と、上縁部にあり内周面を形成するリム部とを備えたボウル部と、このボウル部の下方にその入口が接続され汚物をサイホン作用により排出する排水路と、ボウル部の側方に対応するリム部の位置から洗浄水を前方に向けて吐水し、洗浄水がリム部の内周面に沿って旋回してボウル部を洗浄するリム第一吐水部と、ボウル部の後方に対応するリム部の位置から洗浄水を吐水し、洗浄水がリム第一吐水部から吐水される洗浄水の旋回方向と同一方向にリム部の内周面に沿って旋回してボウル部を洗浄するリム第二吐水部と、排水路の入口に向かって洗浄水を吐水するゼット吐水部と、貯水タンクの排水口から流入した洗浄水を分流する分流室と、分流室からリム第一吐水部へ洗浄水を導くリム第一導水路と、分流室からゼット吐水部へ洗浄水を導くゼット導水路と、分流室から上記リム第二吐水部へ洗浄水を導くリム第二導水路と、を備え、リム第一吐水部から洗浄水の吐水が開始された後に、ゼット吐水部、リム第二吐水部からの順で、洗浄水の吐水が開始されることを特徴としている。
このように構成された本発明においては、先ず、リム第一吐水部から洗浄水の吐水が開始され、ボウル部の旋回流による洗浄の開始を従来よりも早めることができ、従来よりも早いタイミングで、汚物をボウル部内の溜水の中央に集めることができる。さらに、リム第一吐水部から洗浄水の吐水が開始された後に、ゼット吐水部から洗浄水の吐水が開始され、ゼット吐水部から吐水された洗浄水とリム第一吐水部からボウル部に吐水された洗浄水とが相俟って、従来よりも遅いタイミングでサイホン作用により汚物を排出することができる。最後に、リム第二吐水部から洗浄水の吐水が開始され、リム第一吐水部から吐水された洗浄水で洗浄しにくいボウル部の後方領域をすばやく洗浄することができると共にサイホン作用の発生が継続している間に汚物をボウル部内の溜水の中央に集めることができる。この結果、本発明によれば、サイホン作用の終了時又は終了前に、ボウル部の洗浄を終わらせることができ、少ない洗浄水量でサイホン作用を発生させて洗浄する場合の便器洗浄性能を向上させることができる。
【０００７】
本発明において、好ましくは、分流室には、洗浄水がリム第一導水路に流入するリム第一導水路流入口と、洗浄水がゼット導水路に流入するゼット導水路流入口と、洗浄水がリム第二導水路に流入するリム第二導水路流入口と、が形成され、且つ、分流室の上流側から、リム第一導水路流入口、ゼット導水路流入口、リム第二導水路流入口の順序で配置されている。
このように構成された本発明においては、先ず、洗浄水は、分流室の上流側から、リム第一導水路流入口に流入し、リム第一吐水部からの洗浄水の吐水が開始され、次に、洗浄水は、ゼット導水路流入口に流入し、ゼット吐水部からの洗浄水の吐水が開始され、最後に、洗浄水は、リム第二導水路流入口に流入し、リム第二吐水部からの洗浄水の吐水が開始される。従って、先ず、リム第一吐水部からの洗浄水の吐水が開始され、ボウル部の旋回流による洗浄の開始を従来よりも早めることができ、従来よりも早いタイミングで、汚物をボウル部内の溜水の中央に集めることができる。次に、リム第一吐水部からの洗浄水の吐水が開始された後に、ゼット吐水部からの洗浄水の吐水が開始され、従来よりも遅いタイミングで、ゼット吐水部から吐水された洗浄水とリム第一吐水部からボウル部に吐水された洗浄水とが相俟って、サイホン作用により汚物を排出することができ、最後に、リム第二吐水部からの洗浄水の吐水が開始され、リム第一吐水部から吐水された洗浄水で洗浄しにくいボウル部の後方領域をすばやく洗浄することができると共にサイホン作用の発生が継続している間に汚物をボウル部内の溜水の中央に集めることができる。この結果、本発明により、サイホン作用の終了時又は終了前に、ボウル部の洗浄を終わらせることができ、少ない洗浄水量でサイホン作用を発生させて洗浄する場合の便器洗浄性能を向上させることができる。
【０００８】
本発明において、好ましくは、分流室のリム第一導水路流入口は、貯水タンクの排水口近傍に配置されている。
このように構成された本発明においては、貯水タンクから排出された洗浄水がリム第一導水路流入口からリム第一吐水部へ確実に早いタイミングで導かれ、リム第一吐水部からの洗浄水の吐水が最も早く開始されることができる。
【０００９】
本発明において、好ましくは、分流室のゼット導水路流入口及びリム第二導水路流入口は、排水口からリム第一導水路流入口までの距離よりも排水口からの距離が離れた位置に配置され、且つリム第二導水路流入口は、ゼット導水路流入口近傍に配置されている。
このように構成された本発明においては、確実に、リム第一吐水部からの洗浄水の吐水が確実に最も早く開始されることができる。次に、リム第一吐水部からの洗浄水の吐水が開始された後に、ゼット吐水部からの洗浄水の吐水が開始され、より確実に、従来よりも遅いタイミングで、ゼット吐水部から吐水された洗浄水とリム第一吐水部からボウル部に吐水された洗浄水とが相俟って、サイホン作用により汚物を排出することができる。さらに、リム第二導水路流入口は、ゼット導水路流入口近傍に配置されているので、ゼット吐水部からの洗浄水の吐水が開始された後に、比較的早いタイミングで、リム第二吐水部からの洗浄水の吐水が開始されることができる。この結果、本発明により、サイホン作用の終了時又は終了前に、ボウル部の洗浄を終わらせることができ、少ない洗浄水量でサイホン作用を発生させて洗浄する場合の便器洗浄性能を向上させることができる。
【発明の効果】
【００１０】
本発明の水洗大便器によれば、サイホン作用の終了時又は終了前に、ボウル部の洗浄を終わらせることができ、少ない洗浄水量でサイホン作用を発生させて洗浄する場合の便器洗浄性能を向上させることができる。
【図面の簡単な説明】
【００１１】
【図１】本発明の一実施形態による水洗大便器の平面図である。
【図２】図１に示す水洗大便器の縦断面図である。
【図３】本発明の一実施形態による水洗大便器の分流室のゼット導水路流入口及びリム第二導水路流入口を斜め後方上方より見た概略斜視図である。
【図４】図４（ａ）は、本発明の一実施形態による水洗大便器の分流室と、この分流室に接続されるリム第一導水路、ゼット導水路及びリム第二導水路を概念的に示す図であり、図４（ｂ）は、図４（ａ）のうちゼット導水路を分かりやすく示すために、分流室と、この分流室に接続されるゼット導水路とを実線により示し、リム第一導水路及びリム第二導水路を破線により示す図であり、図４（ｃ）は、図４（ａ）のうちリム第二導水路を分かりやすく示すために、分流室と、この分流室に接続されるリム第二導水路とを実線により示し、リム第一導水路及びゼット導水路を破線により示す図である。
【図５】本発明の一実施形態による水洗大便器における洗浄水の瞬間流量（Ｌ/ｍｉｎ）と時間（ｓｅｃ）との関係を示す線図である。
【発明を実施するための形態】
【００１２】
以下、図１乃至図３を参照して、本発明の一実施形態による水洗大便器を説明する。
図１は本発明の一実施形態による水洗大便器を示す平面図であり、図２は図１に示す水洗大便器の縦断面図である。
【００１３】
図１に示すように、符号１は水洗大便器を示し、この水洗大便器１は、便器本体２と、この便器本体２の後方上部に取付けられた貯水タンク装置４を備えている。貯水タンク装置４は、洗浄開始前において、外部の給水管（図示せず）により供給された洗浄水を貯水した状態にされるようになっており、さらに、貯水タンク装置４には、排水弁（図示せず）が設けられ、操作レバー（図示せず）、操作スイッチ（図示せず）等の操作により開閉し、便器本体２へ洗浄水を供給するようになっている。
便器本体２には、この便器本体２の上部の前方側にボウル部６が、後方側の上部には分流室８が、分流室８の下方にはボウル部６と連通する排水トラップ管路１０が、それぞれ形成されている。
【００１４】
ボウル部６はボウル形状をなす汚物受け面１２と、上縁部を構成し且つ内側に向かう内周面を形成するリム１４を有し、汚物受け面１２とリム１４の内周面はスムーズな曲面で連続している。リム１４の内周面は内方に向かってある程度オーバーハングした形状になっている。ボウル部６は、楕円形状であり、前端と後端の領域は曲率半径が小さく、平面視で右側と左側の領域は曲率半径が大きくなっている。ボウル部６の下方には溜水を貯溜する溜水部１６が形成されている。なお、図２においては、溜水部１６の溜水面Ｗ０を一点鎖線で示している。
【００１５】
汚物受け面１２の中央近傍の溜水面Ｗ０の下方には排水トラップ管路１０の排水トラップ管路入口１０ａが開口し、この排水トラップ管路入口１０ａから上昇路１０ｂが後方に伸び、この上昇路１０ｂには下降路１０ｃ（縦管）が連続し、下降路１０ｃの下端は、ジョイント（図示せず）を介して排出管（図示せず）に接続されている。
【００１６】
水洗大便器１の分流室８の後方側の上方には、洗浄水を貯留する貯水タンク装置４が設けられている。この貯水タンク装置４の底面４ａには、水洗大便器１の分流室８に排水する排水口４ｂが形成されている。
この貯水タンク装置４は、節水型の貯水タンク装置であり、貯水される洗浄水量は、３．８リットルである。なお、この貯水タンク装置４に貯水される洗浄水量は、３．６リットル乃至４．２リットルの範囲が好ましい。
【００１７】
さらに、この便器本体２には、ボウル部６の側方に対応するリム１４の位置（ボウル部６の前後方向の中心軸線Ａを中心として一方の側のボウル部６の小さな曲率半径から大きな曲率半径に変化する近傍位置）から洗浄水を前方に向けて吐水し、洗浄水がリム１４の内周面に沿って旋回してボウル部６洗浄するリム第一吐水部１８と、このボウル部６の後方に対応するリム１４の位置（リム第一吐水部１８と他方の側のボウル部６の大きな曲率半径から小さな曲率半径に変化する近傍位置）から洗浄水を吐水し、洗浄水がリム第一吐水部１８から吐水される洗浄水の旋回方向と同一方向にリム１４の内周面に沿って旋回してボウル部６を洗浄するリム第二吐水部２０とが形成され、洗浄水が旋回しながら下降してボウル部６の表面上の汚物を洗浄できるようになっている。
また、ボウル部６の中心下部には、分流室８から洗浄水が供給されるゼット吐水部（ジェット吐水口）２２が形成され、このゼット吐水部２２から洗浄水が排水トラップ管路１０の排水トラップ管路入口１０ａに向けて吐水され、サイホンを短時間で発生させるようになっている。
【００１８】
さらに、便器本体２内には、分流室８からリム第一吐水部１８へ洗浄水を導くリム第一導水路２４と、分流室８からゼット吐水部２２へ洗浄水を導くゼット導水路２６と、分流室８からリム第二吐水部２０へ洗浄水を導くリム第二導水路２８と、がそれぞれ形成されている。
【００１９】
次に、図１乃至4により、分流室８についてより詳細に説明する。
図３は、本発明の一実施形態による水洗大便器の分流室のゼット導水路流入口及びリム第二導水路流入口を斜め後方上方より見た概略斜視図であり、図４（ａ）は、本発明の一実施形態による水洗大便器の分流室と、この分流室に接続されるリム第一導水路、ゼット導水路及びリム第二導水路を概念的に示す図であり、図４（ｂ）は、図４（ａ）のうちゼット導水路を分かりやすく示すために、分流室と、この分流室に接続されるゼット導水路とを実線により示し、リム第一導水路及びリム第二導水路を破線により示す図であり、図４（ｃ）は、図４（ａ）のうちリム第二導水路を分かりやすく示すために、分流室と、この分流室に接続されるリム第二導水路とを実線により示し、リム第一導水路及びゼット導水路を破線により示す図である。
便器本体２内の分流室８は、便器中央後方から便器前方右側に向かって延びる導水路を形成し、貯水タンク装置４の排水口４ｂから流入した洗浄水を３つの流れに分流する分流室であり、分流室８には、洗浄水がリム第一導水路２４に流入するリム第一導水路流入口８ａと、洗浄水がゼット導水路２６に流入するゼット導水路流入口８ｂと、洗浄水がリム第二導水路２８に流入するリム第二導水路流入口８ｃと、が形成され、且つ、分流室８の上流側から、リム第一導水路流入口８ａ、ゼット導水路流入口８ｂ、リム第二導水路流入口８ｃの順序で配置されている。
分流室８のリム第一導水路流入口８ａは、リム第一導水路２４のリム第一導水路流入口部２４ａに接続されている。分流室８のゼット導水路流入口８ｂは、ゼット導水路２６のゼット導水路流入口部２６ａに接続されている。分流室８のリム第二導水路流入口８ｃは、リム第二導水路２８のリム第二導水路流入口部２８ａに接続されている。
【００２０】
分流室８のリム第一導水路流入口８ａは、貯水タンク装置４の排水口４ｂ近傍に配置されている。より具体的には、リム第一導水路流入口８ａは、排水口４ｂの前方側近傍且つ便器前後方向に延びる中心軸線Ａのわずかに左側近傍に配置され、且つ便器前方側への開口部を形成している。リム第一導水路流入口８ａが排水口４ｂ近傍に配置されるので、リム第一吐水部１８からの吐水を最初に出来る限り早いタイミングで行うことができる。
これに対し、分流室８のゼット導水路流入口８ｂは、貯水タンク装置４の排水口４ｂからリム第一導水路流入口８ａよりも離れた位置に配置されている。より具体的には、ゼット導水路流入口８ｂは、排水口４ｂからリム第一導水路流入口８ａまでの距離よりも、排水口４ｂからゼット導水路流入口８ｂまでの距離が長くなるように配置され、且つ便器前後方向に延びる中心軸線Ａから一定距離離れた便器側部近傍に配置されている。ゼット導水路流入口８ｂは、分流室８の底部８ｄが下方に開口した開口部を形成している。
分流室８のリム第二導水路流入口８ｃも、貯水タンク装置４の排水口４ｂからリム第一導水路流入口８ａよりも離れた位置に配置されている。より具体的には、リム第二導水路流入口８ｃは、排水口４ｂからリム第一導水路流入口８ａまでの距離よりも、排水口４ｂからリム第二導水路流入口８ｃまでの距離が長くなるように配置され、さらに、排水口４ｂからゼット導水路流入口８ｂまでの距離よりも、排水口４ｂからリム第二導水路流入口８ｃまでの距離が長くなるように配置されている。
さらに、リム第二導水路流入口８ｃは、便器前後方向に延びる中心軸線Ａから一定距離離れた便器側部近傍に配置され、且つ分流室８のゼット導水路流入口８ｂの上方空間Ｓの前方側の一部が開口された形状として形成されている。
【００２１】
次に、図３及び図４により、リム第一導水路２４と、ゼット導水路２６と、リム第二導水路２８についてより詳細に説明する。
リム第一導水路２４は、リム第一導水路流入口８ａに接続され、リム第一導水路流入口部２４ａから中心軸線Ａに沿って前方に延びボウル部６の内周面の裏側を弧を描くように湾曲して延び、リム第一吐水部１８に至る導水路を形成している。
ゼット導水路２６は、下方に開口したゼット導水路流入口８ｂに接続され、ゼット導水路流入口部２６ａから下方且つ前方に延び、ボウル部６の中央近傍においてＵ字形に屈曲され、後方に向かって開口するゼット吐水部２２に至る導水路を形成している。
リム第二導水路２８は、リム第二導水路流入口８ｃに接続され、リム第二導水路流入口部２８ａから流路がボウル部６の内周面に沿う向きに屈曲され、リム第二吐水部２０に至る導水路を形成している。
【００２２】
リム第一導水路２４の長さは、最初に洗浄水がリム第一導水路流入口部２４ａからリム第一導水路２４に流入を開始すると、リム第一吐水部１８からの洗浄水の吐水が最初に開始されるような長さに形成されている。
ゼット導水路２６の長さは、リム第一導水路２４に流入を開始後に、２番目に、洗浄水がゼット導水路流入口部２６ａからゼット導水路２６に流入を開始すると、ゼット吐水部２２からの洗浄水の吐水が、リム第一吐水部１８からの洗浄水の吐水の開始後、２番目に開始されるような長さに形成されている。
リム第二導水路２８の長さは、最後に、洗浄水がリム第二導水路流入口部２８ａからリム第二導水路２８に流入を開始すると、リム第二吐水部２０からの洗浄水の吐水が、ゼット吐水部２２からの洗浄水の吐水の開始後、最後に開始されるような長さに形成されている。
【００２３】
なお、リム第一導水路流入口８ａ、ゼット導水路流入口８ｂ及びリム第二導水路流入口８ｃの開口面積の大きさの関係は、ゼット導水路流入口８ｂの開口面積＞リム第一導水路流入口８ａの開口面積＞リム第二導水路流入口８ｃの開口面積の関係にされている。
【００２４】
次に、上述した本発明の実施形態による水洗大便器の作用（動作）を説明する。
【００２５】
具体的には、先ず、使用者が貯水タンク装置４の操作レバー、操作スイッチ等を操作すると、貯水タンク装置４から洗浄水が排出され、便器本体２への洗浄水の供給が開始される。この後、洗浄水は、貯水タンク装置４の排水口４ｂから落下して、分流室８に流入する。分流室８に流入した洗浄水は、先ず、リム第一導水路流入口８ａに流入する洗浄水と、ゼット導水路流入口８ｂ及びリム第二導水路流入口８ｃに供給される洗浄水とに分流される。
リム第一導水路流入口８ａは、貯水タンク装置４の排水口４ｂの近傍に配置されているので、排水口４ｂから流入した洗浄水は、直ちにリム第一導水路流入口８ａに到達し、リム第一導水路流入口部２４ａからの流入が開始される。
次に、このゼット導水路流入口８ｂ及びリム第二導水路流入口８ｃに供給されるように分流された洗浄水のうち一部は、分流室８の底部８ｄに開口したゼット導水路流入口８ｂに到達し、ゼット導水路流入口部２６ａからの流入が開始される。洗浄水がゼット導水路流入口８ｂからゼット導水路流入口部２６ａに流入するにつれ、ゼット導水路流入口８ｂの直上の上方空間Ｓが満水にされる。上方空間Ｓが洗浄水で満水になると、洗浄水が上方空間Ｓの前方側で開口しているリム第二導水路流入口８ｃに到達し、リム第二導水路流入口部２８ａからの流入が開始される。このようにして、洗浄水は、ゼット導水路流入口８ｂと、リム第二導水路流入口８ｃとに分流される。
【００２６】
最初に、リム第一導水路流入口部２４ａからリム第一導水路２４に流入を開始した洗浄水は、リム第一導水路２４を流れ、リム第一吐水部１８からの洗浄水の吐水が最初に開始される。
次に、ゼット導水路流入口部２６ａからゼット導水路２６に流入を開始した洗浄水は、ゼット導水路２６を流れ、ゼット吐水部２２からの洗浄水の吐水が、リム第一吐水部１８からの洗浄水の吐水の開始後、２番目に開始される。
最後に、リム第二導水路流入口部２８ａからリム第二導水路２８に流入を開始した洗浄水は、リム第二導水路２８を流れ、リム第二吐水部２０からの洗浄水の吐水が、ゼット吐水部２２からの洗浄水の吐水の開始後、最後に開始される。
【００２７】
従って、このようなリム第一吐水部１８、ゼット吐水部２２及びリム第二吐水部２０からの洗浄水の吐水の開始の順番と、便器本体２のボウル部６の洗浄の関係を次に説明する。
上述の様に貯水タンク装置４から便器本体２への洗浄水の供給が開始されると、先ず、リム第一吐水部１８から洗浄水の吐水が開始され、ボウル部６の旋回流による洗浄の開始のタイミングを、従来からのゼット吐水部２２から最初に洗浄水が吐水される場合よりも、早めることができる。リム第一吐水部１８から吐水された洗浄水は、主に、ボウル部６内の一方の側（例えば、前方から見て左側）の曲率半径の大きな領域、前側の曲率半径の小さな領域、他方の側（例えば、前方から見て右側）の曲率半径の大きな領域を旋回するように流れながら溜水部１６の中央に向かって流下する。このように旋回しながら流下する流れにより、汚物をボウル部６内の溜水の中央に集めることができる。
リム第一吐水部１８から洗浄水の吐水が開始された後に、ゼット吐水部２２から排水トラップ管路入口１０ａに向けて洗浄水の吐水が開始され、ゼット吐水部２２から吐水された洗浄水とリム第一吐水部１８からボウル部６に吐水され溜水部１６に流下された洗浄水とが相俟って、サイホン作用を従来よりも遅らせたタイミングで、さらに、従来よりも強く発生させるようになっている。また、リム第一吐水部１８から吐水された洗浄水が、旋回流を形成しながら流下し、汚物等を溜水中に押し込みながら、サイホン作用により汚物を効果的に排出することができる。
【００２８】
最後に、リム第二吐水部２０から洗浄水の吐水が開始され、リム第一吐水部１８から吐水された洗浄水で洗浄しにくいボウル部６の後方の曲率半径の大きな領域を比較的すばやく且つ良好に洗浄することができると共に、主にこの後方領域から旋回するように流れながら溜水部１６の中央に向かって流下するので、便器洗浄後半においても汚物をボウル部６内の溜水の中央に集めることができる。
従って、ゼット吐水部２２から吐水された洗浄水により生じるサイホン作用が終了する時又は終了する前に、リム第一吐水部１８から吐水された洗浄水がボウル部６の洗浄を終了し、且つリム第二吐水部２０から吐水された洗浄水がボウル部６の洗浄を終了するようになっている。このようにして、少ない洗浄水量で洗浄する場合にも、ボウル部６の全領域を効果的に洗浄することができ、且つ汚物をボウル部６内の溜水の中央に集めてサイホン作用によって排出することができ、サイホン作用が終了するまでに汚物を効果的に排出することができる。
【００２９】
本実施形態においては、ゼット吐水部２２から吐水された洗浄水によるサイホン作用の終了時又は終了前には、リム第一吐水部１８から吐水された洗浄水によるボウル部６の洗浄と、リム第二吐水部２０から吐水された洗浄水によるボウル部６の洗浄とが完了している。これにより、本実施形態による水洗大便器１によれば、節水化により少ない洗浄水量で洗浄する場合の便器洗浄性能を向上させることができる。
ゼット吐水部２２から吐水される洗浄水量が減少して、サイホン作用が終了した後、溜水部１６の溜水面Ｗ０までリフィール水が供給されて、便器本体２の洗浄動作が終了する。
【００３０】
次に、図５により、本発明の一実施形態による水洗大便器における洗浄水の流量と時間との関係を説明する。
図５は、本発明の一実施形態による水洗大便器における洗浄水の瞬間流量（Ｌ/ｍｉｎ）と時間（ｓｅｃ）との関係を示す線図である。
図５においては、本実施形態による水洗大便器の貯水タンク装置４の排水口４ｂ直下の分流室８内において測定された洗浄水の瞬間流量をＦａｌｌとし、本実施形態による水洗大便器１のリム第一吐水部１８において測定された洗浄水の瞬間流量をＦ１とし、本実施形態による水洗大便器１のゼット吐水部２２において測定された洗浄水の瞬間流量をＦ２とし、本実施形態による水洗大便器１のリム第二吐水部２０において測定された洗浄水の瞬間流量をＦ３として示している。
図５に示すように、洗浄を開始すると、貯水タンク装置４の排水口４ｂから分流室８に洗浄水が供給されて瞬間流量Ｆａｌｌが上昇した後、先ず、リム第一吐水部１８から洗浄水の吐水が開始されて瞬間流量Ｆ１が上昇し、リム第一吐水部１８から洗浄水の吐水が開始された後に、ゼット吐水部２２から洗浄水の吐水が開始されて瞬間流量Ｆ２が上昇し、最後に、リム第二吐水部２０から洗浄水の吐水が開始されて瞬間流量Ｆ３が上昇する。
ここで、ゼット吐水部２２から洗浄水の吐水が開始されることにより、サイホン作用が発生され、従来よりも短い約１．２秒乃至約３秒の時間においてサイホン作用が継続して発生されている。節水化により洗浄水量が低減されているため、サイホン作用の継続できる時間が約２秒程度の短い時間とされている。図５に示すように、ゼット吐水部２２から洗浄水の吐水が継続されてサイホン作用が持続している間に、リム第一吐水部１８からの洗浄水の瞬間流量Ｆ１が低下し、リム第一吐水部１８から吐水された洗浄水によるボウル部６の洗浄が終了し、且つリム第二吐水部２０からの洗浄水の瞬間流量Ｆ３が低下し、リム第二吐水部２０から吐水された洗浄水によるボウル部６の洗浄が終了している。
また、最後に、リム第二吐水部２０から洗浄水の吐水が開始されて、リム第二吐水部２０から吐水される洗浄水の瞬間流量Ｆ３が、比較的遅いタイミングで増大されることにより、ゼット吐水部２２から吐水される洗浄水の瞬間流量Ｆ２が減少してくるときに、リム第二吐水部２０から吐水される洗浄水を溜水部１６に流下させることができ、サイホン作用の早期の終了を防ぎ、サイホン作用の発生が継続する時間をより長くすることができる。
【００３１】
上述した本発明の一実施形態による水洗大便器１によれば、先ず、リム第一吐水部１８から洗浄水の吐水が開始され、ボウル部６の旋回流による洗浄の開始を従来よりも早めることができ、従来よりも早いタイミングで、汚物をボウル部６内の溜水の中央に集めることができる。さらに、リム第一吐水部１８から洗浄水の吐水が開始された後に、ゼット吐水部２２から洗浄水の吐水が開始され、ゼット吐水部２２から吐水された洗浄水とリム第一吐水部１８からボウル部６に吐水された洗浄水とが相俟って、従来よりも遅いタイミングでサイホン作用により汚物を排出することができる。最後に、リム第二吐水部２０から洗浄水の吐水が開始され、リム第一吐水部１８から吐水された洗浄水で洗浄しにくいボウル部６の後方領域をすばやく洗浄することができると共にサイホン作用の発生が継続している間に汚物をボウル部６内の溜水の中央に集めることができる。この結果、本発明によれば、サイホン作用の終了時又は終了前に、ボウル部６の洗浄を終わらせることができ、少ない洗浄水量でサイホン作用を発生させて洗浄する場合の便器洗浄性能を向上させることができる。
【００３２】
また、本発明の一実施形態による水洗大便器１によれば、先ず、洗浄水は、分流室８の上流側から、リム第一導水路流入口８ａに流入し、リム第一吐水部１８からの洗浄水の吐水が開始され、次に、洗浄水は、ゼット導水路流入口８ｂに流入し、ゼット吐水部２２からの洗浄水の吐水が開始され、最後に、洗浄水は、リム第二導水路流入口８ｃに流入し、リム第二吐水部２０からの洗浄水の吐水が開始される。従って、先ず、リム第一吐水部１８からの洗浄水の吐水が開始され、ボウル部６の旋回流による洗浄の開始を従来よりも早めることができ、従来よりも早いタイミングで、汚物をボウル部６内の溜水の中央に集めることができる。次に、リム第一吐水部１８からの洗浄水の吐水が開始された後に、ゼット吐水部２２からの洗浄水の吐水が開始され、従来よりも遅いタイミングで、ゼット吐水部２２から吐水された洗浄水とリム第一吐水部１８からボウル部６に吐水された洗浄水とが相俟って、サイホン作用により汚物を排出することができ、最後に、リム第二吐水部２０からの洗浄水の吐水が開始され、リム第一吐水部１８から吐水された洗浄水で洗浄しにくいボウル部６の後方領域をすばやく洗浄することができると共にサイホン作用の発生が継続している間に汚物をボウル部６内の溜水の中央に集めることができる。この結果、本発明により、サイホン作用の終了時又は終了前に、ボウル部６の洗浄を終わらせることができ、少ない洗浄水量でサイホン作用を発生させて洗浄する場合の便器洗浄性能を向上させることができる。
【００３３】
また、本発明の一実施形態による水洗大便器１によれば、貯水タンク装置４から排出された洗浄水がリム第一導水路流入口８ａからリム第一吐水部１８へ確実に早いタイミングで導かれ、リム第一吐水部１８からの洗浄水の吐水が最も早く開始されることができる。
【００３４】
また、本発明の一実施形態による水洗大便器１によれば、確実に、リム第一吐水部１８からの洗浄水の吐水が確実に最も早く開始されることができる。次に、リム第一吐水部１８からの洗浄水の吐水が開始された後に、ゼット吐水部２２からの洗浄水の吐水が開始され、より確実に、従来よりも遅いタイミングで、ゼット吐水部２２から吐水された洗浄水とリム第一吐水部１８からボウル部６に吐水された洗浄水とが相俟って、サイホン作用により汚物を排出することができる。さらに、リム第二導水路流入口８ｃは、ゼット導水路流入口８ｂ近傍に配置されているので、ゼット吐水部２２からの洗浄水の吐水が開始された後に、比較的早いタイミングで、リム第二吐水部２０からの洗浄水の吐水が開始されることができる。この結果、本発明により、サイホン作用の終了時又は終了前に、ボウル部６の洗浄を終わらせることができ、少ない洗浄水量でサイホン作用を発生させて洗浄する場合の便器洗浄性能を向上させることができる。
【符号の説明】
【００３５】
１            水洗大便器
２            便器本体
４            貯水タンク装置
４ｂ          排水口
６            ボウル部
８            分流室
８ａ          リム第一導水路流入口
８ｂ          ゼット導水路流入口
８ｃ          リム第二導水路流入口
１２          汚物受け面
１４          リム
１８          リム第一吐水部
２０          リム第二吐水部
２２          ゼット吐水部
２４          リム第一導水路
２６          ゼット導水路
２８          リム第二導水路
Ａ            中心軸線
Ｆ１          瞬間流量
Ｆ２          瞬間流量
Ｆ３          瞬間流量
Ｆａｌｌ      瞬間流量
Ｓ            上方空間
Ｗ０          溜水面
【図１】
2015025258.tif 000003
【図２】
2015025258.tif 000004
【図３】
2015025258.tif 000005
【図４】
2015025258.tif 000006
【図５】
2015025258.tif 000007